(57)【要約】【課題】携帯端末などの外部の機器で使用するアプリの開発費を抑制できる調理器および調理器システムを提供する。【解決手段】本実施形態において調理器となる炊飯器１では、ｈｔｔｐサーバ４４を備えてｈｔｔｐサーバ機能を有し、ルータＲを経由し、スマートフォンＳのブラウザＢを使用して通信を行なう構成にしており、スマートフォンＳのＯＳ毎にアプリを開発する必要が無く、またＯＳのバージョンアップでアプリを更新する必要もなくなるので、開発費を抑制することができる。【選択図】図３
2019101882.tif 000002
【特許請求の範囲】
【請求項１】
ｈｔｔｐサーバ機能を有し、外部の機器のブラウザを使用して、中継器を経由した通信を行なう調理器。
【請求項２】
前記調理器は、親機、子機の両方のモードを備え、
前記親機のモードで動作させたとき、前記中継器のネットワーク情報を前記外部の機器から前記調理器に入力することを特徴とする請求項１に記載の調理器。
【請求項３】
前記調理器は、ネットワーク接続における前記調理器のＩＰアドレスを、前記調理器の側に表示させる機能を有することを特徴とする請求項１または２に記載の調理器。
【請求項４】
前記ｈｔｔｐサーバ機能を有するｈｔｔｐサーバ制御部と、
前記調理器の負荷を制御する負荷制御部と、
通信部と、をさらに備え、
前記ｈｔｔｐサーバ制御部と前記負荷制御部とは別部品で構成されており、
前記ｈｔｔｐサーバ制御部と前記負荷制御部は前記通信部で命令を交換し、かつ前記ｈｔｔｐサーバ制御部から前記通信部への命令では、前記負荷制御部は前記負荷の動作を直接開始できないことを特徴とする請求項１〜３のいずれか１つに記載の調理器。
【請求項５】
請求項１〜４のいずれか１つに記載の調理器の調理器システムにおいて、
前記外部の機器の表示部に表示させるデータの一部を外部のネットワークサーバから取得することを特徴とする調理器システム。
【発明の詳細な説明】
【技術分野】
【０００１】
本発明は、例えば炊飯器などの、外部の機器との間で通信を可能にする調理器および調理器システムに関する。
【背景技術】
【０００２】
この種の調理器として、例えば特許文献１には、携帯端末との赤外線通信機能を有する調理器であって、通信ネットワークを介してこの携帯端末に外部のネットワークサーバからアプリケーション（アプリ）をダウンロードし、このアプリを使用して、この携帯端末と通信を行なうものが開示されている。
【先行技術文献】
【特許文献】
【０００３】
【特許文献１】特開２００９−１２５２８６号公報
【発明の概要】
【発明が解決しようとする課題】
【０００４】
しかし、特許文献１に示す調理器は、携帯端末と調理器とが赤外線で通信し、その通信はアプリを使用する構成を採用しているので、携帯端末のＯＳ（Operating System）毎にアプリを開発する必要があり、開発費が高価になる虞があった。さらに、このＯＳのバージョンアップが携帯端末の会社で行なわれた時は、このバージョンアップに合わせてアプリを更新する必要があり、さらに開発費が高価になる虞があった。
【０００５】
そこで、本発明は上記事情に鑑み、携帯端末などの外部の機器で使用するアプリの開発費を抑制できる調理器および調理器システムを提供することを目的とする。
【課題を解決するための手段】
【０００６】
本発明の調理器は、ｈｔｔｐサーバ機能を有し、外部の機器のブラウザを使用して、中継器を経由した通信を行なう構成としたことを特徴とする。
【０００７】
また本発明の調理器システムは、前記外部の機器の表示部に表示させるデータの一部を外部のネットワークサーバから取得する構成としたことを特徴とする。
【発明の効果】
【０００８】
請求項１の発明によれば、外部の機器のＯＳ毎にアプリを開発する必要が無く、またＯＳのバージョンアップでアプリを更新する必要もなくなるので、開発費を抑制することができる。
【０００９】
請求項２の発明によれば、中継器のネットワーク情報を入力するために、キーボードやドットＬＣＤ等のネットワーク情報入力機能、表示機能を調理器が備えていなくても、調理器が中継器にネットワーク接続できる。
【００１０】
請求項３の発明によれば、中継器から動的に割り当てられる調理器のＩＰアドレスをこの調理器のユーザーが知ることができ、外部の機器のブラウザから調理器にアクセスできるようになる。
【００１１】
請求項４の発明によれば、仮にマルウェア等の悪意のあるプログラムで外部からｈｔｔｐサーバ制御部を操作されても、調理器の安全に影響を与える負荷は動作しないので安全が確保できる。
【００１２】
請求項５の発明によれば、調理器の通信負荷やデータ保存量などの負荷を減らし、調理器本体を安価なシステムで構築できる。また外部のネットワークサーバからデータの一部を取得するので、このネットワークサーバのデータを変更することにより、ユーザーに調理器が行き渡った後でもある程度データの更新ができる。
【図面の簡単な説明】
【００１３】
【図１】本発明の一実施形態における調理器としての炊飯器の縦断面図である。
【図２】同上、炊飯器の平面図である。
【図３】本発明の一実施形態における調理器システムとしての炊飯器システムの電気的構成を示すブロック図である。
【図４】同上、初期設定時の炊飯器システムの主要な電気的構成を示すブロック図である。
【図５】同上、図４においてスマートフォンに表示させた、ルータの機器名およびパスワードの入力画面を示す図である。
【図６】同上、通常使用時の炊飯器システムの主要な電気的構成を示すブロック図である。
【図７Ａ】同上、ＬＣＤが炊飯器のＩＰアドレスの１つ目の値を表示した状態の表示操作ユニットの平面図である。
【図７Ｂ】同上、ＬＣＤが炊飯器のＩＰアドレスの２つ目の値を表示した状態の表示操作ユニットの平面図である。
【図７Ｃ】同上、ＬＣＤが炊飯器のＩＰアドレスの３つ目の値を表示した状態の表示操作ユニットの平面図である。
【図７Ｄ】同上、ＬＣＤが炊飯器のＩＰアドレスの４つ目の値を表示した状態の表示操作ユニットの平面図である。
【図８】同上、ＬＣＤが炊飯器のＩＰアドレスの値を全部表示した状態の表示操作ユニットの平面図である。
【図９】同上、ＬＣＤがｈｔｔｐサーバのＵＲＬおよびＱＲコードを表示した状態の表示操作ユニットの平面図である。
【図１０】同上、図６においてスマートフォンに表示させた、こだわり炊飯の設定画面を示す図である。
【発明を実施するための形態】
【００１４】
以下、本発明に係る調理器について、添付図面を参照しながら好ましい実施形態を説明する。
【００１５】
図１〜図１０は、本発明の調理器を家庭用の炊飯器に適用した実施形態を示している。先ず図１および図２に基づいて、炊飯器の全体構造を説明すると、１は炊飯器であり、上方から見て前面と後面、左側面と右側面が対向する略矩形状をなし、上面が開口された炊飯器１の本体２と、本体２の上面開口部を開閉自在に覆う蓋体３とにより全体が構成される。本体２は上面を開口した鍋収容部４を有し、蓋体３を開けたときに、被調理物である水や米を収容する容器としての有底状の鍋５が、その鍋収容部４に着脱自在に収容される構成となっている。鍋収容部４は、椀状で樹脂製の内枠６や、金属製の内枠リング７などを組み合わせて構成され、全体が有底筒状に形成される。
【００１６】
鍋５は、熱伝導性の良いアルミニウムを主材８とし、フェライト系ステンレスなどの磁性金属板からなる発熱体９が、主材８の外面の側部下部から底部にかけて接合してある。鍋５の外側面に対向する内枠リング７の外面には、加熱手段の一例としてコードヒータを用いた胴ヒータ１１を備えている。また、鍋５の側面下部から底面に対向する内枠６の外面には、鍋５の発熱体９を電磁誘導加熱する加熱手段として、加熱コイル１２を備えている。
【００１７】
内枠６の底部中央部には、鍋温度検出手段としての鍋センサ１４が、鍋５の外面底部と弾発的に接触するように配設される。本実施形態の鍋センサ１４は、鍋５の温度を検知して加熱コイル１２による鍋５の底部の加熱温度を主に温度管理する構成となっている。
【００１８】
蓋体３の前方上面には、蓋開ボタン１５が露出状態で配設されており、この蓋開ボタン１５を押すと、本体２と蓋体３との係合が解除され、本体２の上部後方に設けたヒンジバネ（図示せず）により、ヒンジ軸１６を回転中心として蓋体３が自動的に開く構成となっている。また、蓋体３の後方上面には、鍋５内の被調理物から発生する蒸気を炊飯器１の外部に排出する蒸気口ユニット１７が着脱可能に装着される。
【００１９】
蓋体３は、その上面外殻をなす外観部品としての外蓋１９と、蓋体３の下面を形成する放熱板２０と、外蓋１９および放熱板２０を結合させて、蓋体３の骨格を形成する蓋ベース材としての外蓋カバー２１とを主たる構成要素としている。蓋体３の内部にあって、放熱板２０の上面には、蓋加熱手段としての蓋ヒータ２２が設けられる。この蓋ヒータ２２は、コードヒータなどの電熱式ヒータや、電磁誘導加熱式による加熱コイルでもよい。
【００２０】
放熱板２０の下側には、蓋体３の下部部材としての内蓋組立体２３が着脱可能に設けられる。この内蓋組立体２３は、鍋５の上方開口部とほぼ同径の円盤状を有する金属製の内蓋２４と、鍋５と内蓋２４との間をシールするための弾性部材からなる蓋パッキン２５と、蓋パッキン２５を内蓋２４の外側全周に装着するための内蓋リング２６と、鍋５の内圧力を調整する調圧部２７とを備えている。環状に形成された蓋パッキン２５は、蓋体３を閉じた蓋閉時に鍋５の上面に当接して、鍋５と内蓋２４との間の隙間を塞ぎ、鍋５から発生する蒸気を密閉するものである。
【００２１】
蓋体３の略中央上面には、表示操作ユニット２８が設けられる。表示操作ユニット２８は、時間や時刻の他に、選択した炊飯コースや炊き分けを表示するＬＣＤ２９や、現在の工程を表示するＬＥＤ３０（図３参照）や、炊飯を開始させたり、炊飯コースを選択させたりするスイッチ３１を、蓋体３の内部に実装された基板３２の上部に配設して構成される。
【００２２】
３３は、表示操作ユニット２８の上方を覆うようにして設けられた操作パネルである。この操作パネル３３はボタン名などが表示され、電子部品であるＬＣＤ２９、ＬＥＤ３０、スイッチ３１や基板３２に、埃や水が付着することを防止している。また、基板３２上に設けたスイッチ３１とは別に、ＬＣＤ２９上に後述するタッチセンサ４９を設けた場合は、ＬＣＤ２９の表示に合わせて直接タッチ操作することが可能となっている。
【００２３】
前記放熱板２０には、蓋体３の特に内蓋２４の温度を検知する蓋温度検知手段として、蓋ヒータ２２による内蓋２４の温度管理を行なうためのサーミスタ式の蓋センサ３４が設けられている。また蓋体２の内部には、鍋５内で発生した蒸気を外部へ放出する通路として、蒸気口ユニット１７と調圧部２７とを連通する蒸気排出経路３５が形成される。調圧部２７には、鍋５の内部と蒸気口ユニット１７との間の蒸気排出経路３５を開閉する調圧弁３６が設けられる。調圧弁３６はボール状で、蓋体３の内部に設けたソレノイド３７と連動し、鍋５内の蒸気を外部へ放出する場合には蒸気排出経路３５を開放し、鍋５内を加圧または減圧状態にする場合には蒸気排出経路３５を閉塞するように、ソレノイド３７が調圧弁３６を転動させる。そして加圧時には、加熱コイル１２への高周波通電により鍋５内の被炊飯物が加熱され、鍋５の内圧が所定値に達すると、調圧弁３６の自重に抗して蒸気排出経路３５を開放することで、鍋５内の圧力を大気圧以上に維持する構成となっている。
【００２４】
３８は、蓋３を本体２に閉じた状態で鍋５の内部を通常の大気圧よりも低くするための減圧手段である。減圧手段３８は、鍋５を鍋収容体４に収容し、蓋３を閉じた後にソレノイド３７を通電して、調圧弁３６が蒸気排出経路３５を塞いだ状態で、密閉した鍋５の内部圧力を低下させる。また、鍋５内部の圧力が大気圧よりも一定値下がった場合には、減圧手段３８の動作源となる減圧ポンプ３９の動作を停止し、鍋５内部を減圧状態に保っている。さらに、鍋５内部を減圧状態から外気と同じ圧力に戻す場合には、減圧ポンプ３９の動作を停止し、減圧ポンプ３９と鍋５の内部との間を連通する図示しない経路を開放する。つまり減圧手段３８は、鍋５内部を減圧状態から外気と同じ圧力に戻す圧力戻し手段としての構成を兼用している。
【００２５】
その他、本実施形態の炊飯器１では本体２の内部に、加熱制御手段４０を含むユニット化された加熱基板組立４１に加えて、通信モジュールとしてのｈｔｔｐサーバ４４が配設される。なお説明のために、ｈｔｔｐサーバ４４は炊飯器１とは別に図示しているが、実際には炊飯器１にｈｔｔｐサーバ４４が組み込まれて構成されている。
【００２６】
加熱制御手段４０は、基板３２と組み合わせて炊飯器１の各部を電気的に制御するために、マイクロコンピュータ（マイコン）５５（図３参照）などを含んで構成される。
【００２７】
ｈｔｔｐサーバ４４は、アンテナ４５を兼用する基板４６に、通信機能としてのＷｉ−Ｆｉ（登録商標）（Wireless Fidelity）機能とマイコン機能を１つに纏めた多機能チップ４７を実装してｈｔｔｐサーバ（Ｗｅｂサーバ）機能を有するように構成され、炊飯器１内部に組み込まれて、後述するように、外部の機器としてのスマートフォンＳの、インターネット閲覧ソフトとしてのブラウザＢを使用して通信を行ない、また中継器としてのルータＲ経由で、スマートフォンＳのブラウザＢを使用して通信を可能にしている。
【００２８】
ｈｔｔｐサーバ４４は、外部のスマートフォンＳとの間で、データのやり取りを直接行ない、またはルータＲを経由で間接的に行なうもので、特定の作業を行うために使用されるソフトウェアであるアプリケーション（アプリ）に関係なく使用でき、ここで利用するＷｉ−Ｆｉ等の通信規格により、スマートフォンＳや外部のネットワークサーバＴＨＳとの双方向の通信を行なう機能を有している。こうした通信規格に適合する外部の機器として、本実施形態で説明されるスマートフォンＳのような電話機能を備えた携帯電話の他に、パソコン、タブレット、あるいはゲーム機を使用できる。これらは何れも、利用者の多い無線通信が可能な外部の機器である。このように、炊飯器１では、ｈｔｔｐサーバ４４を備えてｈｔｔｐサーバ機能を有し、スマートフォンＳ等の外部の機器のブラウザＢを使用して、ルータＲを経由した通信を行なう構成にしている。そのため、Ｗｉｎｄｏｗｓ（登録商標）、Ａｎｄｒｏｉｄ（登録商標）、ｉ−ＯＳなどの、外部の機器のＯＳ（Operating System）毎にアプリを開発する必要が無く、またＯＳのバージョンアップでアプリを更新する必要もなくなるので、開発費を抑制することができる。
【００２９】
蓋体３に設けられた炊飯器１の表示装置となる表示操作ユニット２８は、調理に関わる様々な情報を表示するＬＣＤ２９やＬＥＤ３０を用いた表示部４２と、炊飯を開始させたり、炊飯コ−スを選択させたりするためのスイッチ３１からなる操作部４３とを備えており、これらの下面には、ＬＣＤ２９やタクトスイッチ（図示せず）などが具備された表示・操作制御手段である基板３２が配置される。パターン形成された基板３２に、操作や表示に関わる制御用ＩＣ（図示せず）等を実装することで、前述の加熱制御手段４０と連携した表示・操作制御手段が構成される。
【００３０】
ＬＣＤ２９は外蓋１９の略中央に配置され、ＬＣＤ２９の表面となる上面には、ＬＣＤ２９に表示される複数の表示要素４８の何れかを選択することで、炊飯コースや炊き分けの選択の他に、時刻の設定などを指先のタッチ操作で行なうタッチセンサ４９が配置される。タッチセンサ４９は基板３２に接続されることで、非押動型操作手段５０であるタッチキーとして機能する。
【００３１】
ＬＣＤ２９は、ガラス板に予め印刷された電極となる表示要素４８に電流を流し、ガラス板で封止された液晶（図示せず）に電圧を印加して、その表示要素４８を黒色に点灯させることで、ガラス板を液晶表示装置として機能させている。なお表示部４２となるＬＣＤ２９を、複数の表示要素４８を複数のガラス板による階層別で表示する多層表示が可能な多層表示装置で構成し、複数の表示要素４８を階層とは関係無く表示させる構成としてもよい。
【００３２】
表示部４２上の非押動型操作手段５０で行なう操作内容は、各種の炊飯コースの選択・設定や、特定の炊飯コースを選択した場合の炊き分けの選択・設定や、現在時刻及び予約時刻の設定などとし、切状態から炊飯を開始する炊飯キーや、炊飯や保温を停止して切状態にする切キーは具備せず、表示部４２以外の箇所に、タッチでは操作することができないタクトスイッチなどの押動型操作手段５１で、炊飯キー５２Ａや切キー５２Ｂを設置している。
【００３３】
また、炊飯や保温、予約など、炊飯器としての工程を表示するのにＬＥＤ３０を点灯させるキー５２として、炊飯キー５２Ａや切キー５２Ｂ以外に、切状態から保温を開始したり、保温時に被炊飯物を再加熱したりする保温キー５２Ｃや、予約時刻に被炊飯物を炊き上げる予約キー５２Ｄなども、押動型操作手段５１としていることで、ＬＥＤ３０からの光が透過可能なランプ窓５３を、エンボス加工部５４に印刷で構造上容易に形成することができる。上下に撓むエンボス加工部５４は、タクトスイッチ４５に対向して、蓋体３の上面に露出する操作パネル３３の適所に配設される。また、減圧手段３８により鍋２の内部が減圧状態の時に、真空サイン用のランプ窓５３Ａを通して、特定のＬＥＤ３０が点灯照明される。そしてここでのキー５２は、点灯したＬＥＤ３０で照明される炊飯キー５２Ａや、保温キー５２Ｃや、予約キー５２Ｄの他に、ＬＥＤ３０で照明されない切キー５２Ｂや、被炊飯物を早く炊くためのそくうまキー５２Ｅにより構成され、前述した非押動型操作手段５０のタッチキーと、押動型操作手段５１のキー５２とにより、操作部４３となるスイッチ３１が構成される。
【００３４】
操作部４３は蓋体３の上面前側に配置され、意匠やエンボス加工された操作シート５７には、キー５２に対応して各キーの名称などを印刷すると共に、ＬＣＤ２９が配置される表示部４２上には、意匠の印刷が無い透明窓部６０を形成している。この透明窓部６０の下方にタッチセンサ４９を配置し、ＬＣＤ２９に表示された炊飯コースなどの表示要素４８上でタッチセンサ４９に触れることで、タッチキーとしての操作を可能にしている。
【００３５】
前記加熱制御手段４０は、加熱コイル１２を駆動させる発熱素子としてのスイッチング素子６５を備えており、このスイッチング素子６５は加熱コイル１２の発振と共に発熱する構成となっている。そのため、スイッチング素子６５はアルミニウムのような熱伝導性の良い材料で構成された放熱器６６に取付けられ、この放熱器６６の下方または側部に、冷却手段たる電動の冷却ファン６７が配置される。そして冷却ファン６７が駆動すると、本体１の側面に設けた吸気口（図示せず）から、本体１内部の冷却ファン６７に冷風が取り込まれ、この冷風が放熱器６６からの熱を奪って、排気口６８から本体１の外部に排出される構成となっている。
【００３６】
図３は、上記炊飯器１の炊飯器システムの主要な電気的構成を示している。マイコン５５の入力ポートには、操作部４３のキー５２の各キーやタッチセンサ４９がそれぞれ電気的に接続される。また鍋センサ１４、蓋センサ３４、入力電圧やサージ（異常な高電圧）等を検出する電圧検出回路７１、および、入力電流や回生電流等を検出する電流検出回路７２等で構成される検出部７３のそれぞれも、マイコン５５の入力ポートに電気的に接続されている。
【００３７】
マイコン５５の出力ポートには、負荷７５を構成する、加熱コイル１２、胴ヒータ１１、蓋ヒータ２２、ソレノイド３７、減圧ポンプ３９、および冷却ファン６７の、それぞれの駆動手段が電気的に接続されており、また表示部４２のＬＣＤ２９やＬＥＤ３０を表示させる表示手段も電気的に接続されている。
【００３８】
そして本実施形態の炊飯器１では、上述の接続に加えて、ｈｔｔｐサーバ４４がマイコン５５の入力ポートおよび出力ポートに電気的に接続され、ｈｔｔｐサーバ４４とマイコン５５の間でＵＡＲＴ通信ができるように構成されている。
【００３９】
マイコン５５は鍋センサ１４や蓋センサ３４からの各温度検知信号と、操作部４３からの操作信号とを受けて、炊飯時および保温時に鍋５を加熱する胴ヒータ１１や加熱コイル１２と、蓋体３を加熱する蓋ヒータ２２を各々制御すると共に、ＬＣＤ２９やＬＥＤ３０の表示を制御し、さらにはソレノイド３７、減圧ポンプ３９、冷却ファン６７の動作を各々制御する。またマイコン５５は、鍋センサ１４の検知温度に基いて主に加熱コイル１２を制御して鍋５の底部を温度管理し、蓋センサ３４の検知温度に基いて主に蓋ヒータ２２を制御して、被炊飯物に対向する内蓋２４を温度管理するようになっている。そしてマイコン５５は、電圧検出回路７１および電流検出回路７２で入力電圧・入力電流・回生電流を検出して、加熱コイル１２を駆動するための制御信号とし、また電圧検出回路７１でサージを検出したときは、加熱コイル１２の駆動を停止させるように制御している。
【００４０】
こうした機能は、記憶手段（図示せず）に記録したプログラムを、マイコン５５が読み取ることで実現するが、特に本実施形態の炊飯器１では、マイコン５５を炊飯制御部７６と、通信部７７として機能させるプログラムを備えている。こうしたプログラムの他に、記憶手段は、炊飯器１による炊飯に関して、例えば炊飯コースや調理コース等、炊飯が可能な全ての設定情報を記憶する炊飯設定情報記憶部７８等を備えている。
【００４１】
炊飯制御部７６は、主に米や水等の被炊飯物の炊飯に係る各部の動作を制御するものであり、操作部４３の操作に伴う操作信号を受け取ると、この操作信号に応じて、負荷７５のそれぞれの駆動手段に制御信号を送出して被炊飯物に対する炊飯を制御する。炊飯設定情報記憶部７８では、炊飯を実行するための炊飯情報として、複数の炊飯コースや調理コースが予め記憶保持されており、操作部４３によってその中から１つのコースが選択され、炊飯を実行する操作が行われると、炊飯制御部７６はその選択したコースに従い被炊飯物を炊飯する構成となっている。
【００４２】
通信部７７は、ｈｔｔｐサーバ４４の後述するｈｔｔｐサーバ制御部８１との間で各種データのやり取りを行なうものである。本実施形態の炊飯器１では、炊飯制御部７６とｈｔｔｐサーバ制御部８１は通信部７７で命令を交換するように構成しており、炊飯設定情報記憶部７８や後述する通信設定情報記憶部８２の各種データのやり取りが通信部７７で行われる。またｈｔｔｐサーバ制御部８１から通信部７７への命令では、炊飯制御部７６は負荷７５のそれぞれの駆動手段に制御信号を送出せず、負荷７５の動作を直接開始できないように構成している。なお通信部７７からの命令全てでも、炊飯制御部７６が負荷７５のそれぞれの駆動手段に制御信号を送出しないように構成してもよい。このように本実施形態の炊飯器１では、ｈｔｔｐサーバ４４のｈｔｔｐサーバ制御部８１とマイコン５５の炊飯制御部７６が別部品で構成されており、炊飯制御部７６とｈｔｔｐサーバ制御部８１は通信部７７で命令を交換し、かつｈｔｔｐサーバ制御部８１からは物理的に負荷７５の動作を開始できない回路構成で、ｈｔｔｐサーバ制御部８１から通信部７７への命令では、炊飯制御部７６は負荷７５のそれぞれの駆動手段に制御信号を送出せず、負荷７５の動作を直接開始できないように構成している。そのため、仮にマルウェア等の悪意のあるプログラムで外部からｈｔｔｐサーバ制御部８１を操作しても、炊飯器１の安全に影響を与えるヒータやモータ等の負荷７５は動作しないので安全が確保できる。
【００４３】
ｈｔｔｐサーバ４４は、上述したようにスマートフォンＳとの双方向の通信を行なう機能を有しており、こうした機能は、ｈｔｔｐサーバ４４の記憶手段（図示せず）に記録したプログラムを、多機能チップ４７が読み取ることで実現するが、特に本実施形態の炊飯器１では、多機能チップ４７をｈｔｔｐサーバ制御部８１として機能させるプログラムを備えている。こうしたプログラムの他に、ｈｔｔｐサーバ４４の記憶手段は、炊飯器１による外部の機器との通信に関して、例えば炊飯器１のＩＰアドレス、スマートフォンＳが親機としてのｈｔｔｐサーバ４４と接続するためのｈｔｔｐサーバ４４の機器名およびパスワード、子機としてのｈｔｔｐサーバ４４がルータＲと接続するためのルータの機器名およびパスワード、ルータの機器名およびパスワードの入力画面のＨＴＭＬファイルや画像データ等、通信に必要な全ての設定情報を記憶する通信設定情報記憶部８２等を備えている。
【００４４】
ｈｔｔｐサーバ制御部８１は、通信部７７との間で各種データのやり取りを行なうことに加えて、ｈｔｔｐサーバ４４の動作を制御して、ｈｔｔｐサーバ４４と無線で接続するスマートフォンＳとの間で各種データのやり取りを行なうものであり、またｈｔｔｐサーバ４４と無線で接続するルータＲを介して、スマートフォンＳとの間で、各種データのやり取りを行なうものである。そのため本実施形態のｈｔｔｐサーバ制御部８１は無線で接続する際に、アクセスポイントとしての親機のモードで動作するようにｈｔｔｐサーバ４４を制御し、あるいは、ルータＲを親機とする子機のモードで動作するようにｈｔｔｐサーバ４４を制御している。ここでｈｔｔｐサーバ４４を親機のモードで動作させた際は、ｈｔｔｐサーバ制御部８１は子機としてのスマートフォンＳとは無線で接続できるが、ルータＲを経由してｈｔｔｐサーバ４４をネットワークＮに接続できない構成になっており、この時、ｈｔｔｐサーバ制御部８１およびスマートフォンＳはネットワークＮに接続していない状態になっている。なお操作部４３からの操作で炊飯制御部７６が通信部７７から命令を送出し、この命令によりｈｔｔｐサーバ４４を親機のモードまたは子機のモードに切り換えるようにｈｔｔｐサーバ制御部８１を構成してもよい。
【００４５】
ネットワークサーバＴＨＳはネットワークＮに接続されており、ルータＲ経由でスマートフォンＳと接続され、このスマートフォンＳとの間で各種データのやり取りを行なうものであり、本実施形態のネットワークサーバＴＨＳでは、こうした機能を実現させるネットワーク制御部ＮＣを備えている。また本実施形態の外部のネットワークサーバＴＨＳは、上述の各種データの他にも、例えば“背景１.png”や“ボタン１.png”等、スマートフォンＳの画面に表示させる画像データＧをネットワークサーバ記憶部ＮＲに記憶している。そして本実施形態の炊飯器１は、ｈｔｔｐサーバ制御部８１がルータＲ経由でスマートフォンＳと無線通信するとき、このｈｔｔｐサーバ制御部８１は、データ、例えばＨＴＭＬ（Hyper Text Markup Language）ファイルをスマートフォンＳに送出するようにｈｔｔｐサーバ４４を制御するが、このＨＴＭＬファイルにはタグが書かれており、このタグには、画像のファイル名と、保存されている場所であるＵＲＬ（Uniform Resource Locator）が書かれている。スマートフォンＳは、ＨＴＭＬファイルを受信すると、このタグの命令に沿ってルータＲやネットワークＮを経由してネットワーク制御部ＮＣに接続し、“背景１.png”や“ボタン１.png”等の画像データＧをネットワークサーバ記憶部ＮＲから取得して、スマートフォンＳでブラウザＢを使用してＨＴＭＬファイルおよび画像データＧを組み合わせて、例えば「こだわり炊飯の設定画面」（図１０参照）を１つのページで表示部ＳＤに表示するように構成されている。なお、これはｈｔｔｐサーバ４４が子機のモードの時のみであり、ｈｔｔｐサーバ４４が親機のモードの時は、スマートフォンＳがネットワークＮに接続できないため、このように構成できない。このように、ＨＴＭＬの本体であるＨＴＭＬファイルを炊飯器１からスマートフォンＳに送信し、ＨＴＭＬファイルのタグに書かれ、スマートフォンＳの表示部ＳＤに表示させるデータの一部である画像データＧを外部のネットワークサーバＴＨＳから取得することにより、炊飯器１の通信負荷やデータ保存量などの負荷を減らし、炊飯器１本体を安価なシステムで構築できる。また外部のネットワークサーバＴＨＳから画像データＧを取得するので、ネットワークサーバＴＨＳの画像データＧを変更することにより、ユーザーに炊飯器１が行き渡った後でもある程度データの更新ができる。
【００４６】
次に、図３〜図５を参照しながら、上記構成の炊飯器１、ルータＲ、スマートフォンＳ、ネットワークＮ、およびネットワークサーバＴＨＳについて、その作用を詳しく説明する。
【００４７】
先ず図４を参照して、炊飯器１の初期設定時について説明すると、炊飯器１に備えたコード付き電源プラグ（図示せず）をコンセントに差し込んで、炊飯器１内の各部を通電状態にすると、ｈｔｔｐサーバ制御部８１は、ルータＲのＩＤとしてのルータＲの機器名と、ルータＲのパスワードとが通信設定情報記憶部８２に記憶されているかを確認する。ここで、ルータＲの機器名とルータＲのパスワードが通信設定情報記憶部８２に記憶されていた場合、ｈｔｔｐサーバ制御部８１はｈｔｔｐサーバ４４を、ルータＲからの無線信号の送受信を可能にする子機のモードで動作するように制御する。
【００４８】
一方、ルータＲの機器名とルータＲのパスワードが通信設定情報記憶部８２に記憶されていない場合、図４に示すように、ｈｔｔｐサーバ制御部８１はｈｔｔｐサーバ４４を、炊飯器１外部からの無線信号の送受信を可能にする親機のモードで動作するように制御する。この親機のモードの時にスマートフォンＳを起動させ、ｈｔｔｐサーバ制御部８１からの無線信号をスマートフォンＳが受信すると、スマートフォンＳの表示部ＳＤはネットワーク選択の画面を表示し、ここで、表示部ＳＤにおいてｈｔｔｐサーバ４４の機器名のネットワークを選択し、ｈｔｔｐサーバ４４のパスワードを入力してｈｔｔｐサーバ制御部８１に送出すると、ｈｔｔｐサーバ制御部８１は受信したパスワードのデータを通信設定情報記憶部８２に記憶されているｈｔｔｐサーバ４４のパスワードと照合し、これらのパスワードが一致するとｈｔｔｐサーバ制御部８１が判断すると、スマートフォンＳとｈｔｔｐサーバ制御部８１との間の通信が確立される。
【００４９】
スマートフォンＳとｈｔｔｐサーバ制御部８１の間の通信が確立されると、ｈｔｔｐサーバ制御部８１は通信設定情報記憶部８２に記憶されている「ルータの機器名およびパスワードの入力画面」のＨＴＭＬファイルおよび画像データをスマートフォンＳに送出し、スマートフォンＳがこれらのデータを受信すると、ブラウザＢを使用してこれらのＨＴＭＬファイルおよび画像データを組み合わせて、表示部ＳＤに図５に示すような、「ルータの機器名およびパスワードの入力画面」という１つのページを表示する。ここでスマートフォンＳを操作して、ルータの機器名入力部ＳＤ１にルータＲの機器名、例えば「○○○○○○○」を入力し、ルータのパスワード入力部ＳＤ１にルータＲのパスワード、例えば「×××」を入力して送信キーＳＤ３を選択することにより、入力されたルータＲの機器名「○○○○○○○」とルータＲのパスワード「×××」のデータがｈｔｔｐサーバ制御部８１に送出され、ｈｔｔｐサーバ制御部８１は通信設定情報記憶部８２にこれらのデータを記憶させ、その後、ｈｔｔｐサーバ制御部８１はｈｔｔｐサーバ４４を、ルータＲからの無線信号の送受信を可能にする子機のモードに切り換えるように制御する。このように、ｈｔｔｐサーバ４４を備えた炊飯器１は、スマートフォンＳとのネットワーク接続時では親機のモード、ルータＲとのネットワーク接続時では子機のモードとなるので、親機、子機の両方のモードを備え、親機のモードでｈｔｔｐサーバ４４を動作させたときに、ルータＲの機器名、ルータＲのパスワード等、ルータＲのネットワーク情報をスマートフォンＳからｈｔｔｐサーバ４４に入力できる構成となっており、ルータＲのネットワーク情報を入力するために、キーボードやドットＬＣＤ等のネットワーク情報入力機能、表示機能を炊飯器１が備えていなくても、炊飯器１のｈｔｔｐサーバ制御部８１がルータＲにネットワーク接続できるようになっている。
【００５０】
次に図６を参照して、炊飯器１の通常使用時について説明する。この時、機器名が、例えば「○○○○○○○」で、パスワードが、例えば「×××」のルータＲと、スマートフォンＳとの間の通信が確立されているものとする。親機としてのルータＲと子機としてのスマートフォンＳとの間の通信の確立の方法は周知であるので、説明を省略する。
【００５１】
ｈｔｔｐサーバ４４が子機のモードで動作している時に、親機としてのルータＲからの無線信号をｈｔｔｐサーバ制御部８１が受信すると、ｈｔｔｐサーバ制御部８１は、この無線信号に含まれているルータＲの機器名「○○○○○○○」を、通信設定情報記憶部８２に記憶されているルータの機器名「○○○○○○○」と照合する。そして、ｈｔｔｐサーバ制御部８１は、これらの機器名が一致すると判断すると、通信設定情報記憶部８２に記憶されているルータのパスワード「×××」のデータをルータＲに送出する。ルータＲがこのデータを受信すると、ルータＲで、受信したデータ「×××」をルータＲのパスワード「×××」と照合し、これらのパスワードが一致するとルータＲが判断すると、ｈｔｔｐサーバ制御部８１とルータＲの間の通信が確立され、ルータＲからｈｔｔｐサーバ制御部８１に、ｈｔｔｐサーバ４４のネットワークＩＤとしてのＩＰアドレス、すなわち炊飯器１のＩＰアドレスのデータが送信される。ｈｔｔｐサーバ制御部８１は、炊飯器１のＩＰアドレスのデータを受信すると、このデータを通信設定情報記憶部８２に記憶させる。
【００５２】
次に、ｈｔｔｐサーバ制御部８１とスマートフォンＳとのルータＲ経由での無線接続について説明すると、上述した炊飯器１の初期設定時と異なり、ｈｔｔｐサーバ４４は子機のモードで動作しているため、ｈｔｔｐサーバ４４のＩＰアドレス、すなわち炊飯器１のＩＰアドレスをスマートフォンＳに入力する必要があり、このＩＰアドレスが分からないとスマートフォンＳのブラウザＢからｈｔｔｐサーバ制御部８１にアクセスできない。しかし炊飯器１のＩＰアドレスは、ルータＲからｈｔｔｐサーバ４４に割り当てられる番号であり、一般的にＩＰアドレスは動的に変化してしまうため、ネットワーク接続のたびに確認する必要がある。そこで、本実施形態の炊飯器１では、炊飯器１のＩＰアドレスをＬＣＤ２９に表示する構成にしている。
【００５３】
図７Ａ〜図７Ｄを参照して具体的に説明すると、操作部４３からの操作で炊飯制御部７６が通信部７７から命令を送出し、この命令により、ｈｔｔｐサーバ制御部８１は通信設定情報記憶部８２に記憶させた炊飯器１のＩＰアドレスのデータを通信部７７に送出する。このデータを通信部７７が受信すると、炊飯制御部７６は、このデータをＬＣＤ２９に送出して、このデータのＩＰアドレスをＬＣＤ２９に表示するように制御する。この時の操作部４３の操作は、炊飯器１の普段の使用時では採用しないような操作が好ましく、本実施形態ではそくうまキー５２Ｅを長押しする操作を採用している。そくうまキー５２Ｅを押圧し続けると、炊飯制御部７６は、先ず、「そくうま」の炊飯コースの設定画面をＬＣＤ２９に表示させるように制御し、所定時間後に、炊飯器１のＩＰアドレスをＬＣＤ２９に表示するように制御している。
【００５４】
ＩＰアドレスは通常、３２ビットの値を「．」（ドット）で８ビットずつ４つに区切って表しているが、本実施形態の炊飯器１では図７Ａ〜図７Ｄに示すように、この４つに区切られた値を１つずつ表示する方式を採用している。図７ＡではＬＣＤ２９に炊飯器１のＩＰアドレスの１つ目の値を表示している時を示しており、炊飯時の炊上がりまでの時間や保温時の経過時間を表示する時計用表示要素４８Ａと、選択したご飯の硬さを炊き分け状態として表示する炊き分け選択用表示要素４８Ｂと、初期の切表示の画面に戻るための戻る用表示要素４８Ｃと、炊き分け選択用表示要素４８Ｂに表示される炊き分け状態を、硬めに調整可能にする硬め調整用表示要素４８Ｄと、炊き分け選択用表示要素４８Ｂに表示される炊き分け状態を、柔らかめに調整可能にする柔らかめ調整用表示要素４８Ｅと、炊飯や保温時に鍋５内部の圧力の状態を表示する圧力用表示要素４８Ｆと、を使用している。
【００５５】
具体的には、時計用表示要素４８Ａは「１９２」を表示し、炊き分け選択用表示要素４８Ｂの一番左の点が点滅しており、炊飯器１のＩＰアドレスの１つ目の値は「１９２」であることが一目で分かるようになっている。また圧力用表示要素４８Ｆの「真空」表示は、マイコン５５と多機能チップ４７との通信確認用表示を兼ねており、マイコン５５と多機能チップ４７とが通信できていると「真空」表示が点滅し、通信が途絶えると「真空」表示が消灯するように構成されている。図７ＡのＬＣＤ２９の画面では、圧力用表示要素４８Ｆの「真空」表示が点滅しており、マイコン５５と多機能チップ４７とが通信できていることが、例えば「真空」表示により一目で分かるようになっている。ここで、そくうまキー５２を１回押圧すると、ＬＣＤ２９が図７Ｂの画面に切り換わる。
【００５６】
図７Ｂでも、時計用表示要素４８Ａは「１６８」を表示し、炊き分け選択用表示要素４８Ｂの左から二番目の点が点滅しており、炊飯器１のＩＰアドレスの２つ目の値は「１６８」であることが一目で分かるようになっている。また、圧力用表示要素４８Ｆの「真空」表示が点滅しており、マイコン５５と多機能チップ４７とが通信できていることが、例えば「真空」表示により一目で分かるようになっている。ここで、そくうまキー５２を１回押圧すると、ＬＣＤ２９が図７Ｃの画面に切り換わる。図７Ｃでも、時計用表示要素４８Ａは「１２８」を表示し、炊き分け選択用表示要素４８Ｂの左から三番目の点が点滅しており、炊飯器１のＩＰアドレスの３つ目の値は「１２８」であることが一目で分かるようになっている。また、圧力用表示要素４８Ｆの「真空」表示が点滅しており、マイコン５５と多機能チップ４７とが通信できていることが、例えば「真空」表示により一目で分かるようになっている。ここで、そくうまキー５２を１回押圧すると、ＬＣＤ２９が図７Ｄの画面に切り換わる。
【００５７】
図７Ｄでも、時計用表示要素４８Ａは「１２７」を表示し、炊き分け選択用表示要素４８Ｂの一番右の点が点滅しており、炊飯器１のＩＰアドレスの４つ目の値は「１２７」であることが一目で分かるようになっている。また、圧力用表示要素４８Ｆの「真空」表示が点滅しており、マイコン５５と多機能チップ４７とが通信できていることが、例えば「真空」表示により一目で分かるようになっている。ここで、そくうまキー５２を１回押圧すると、ＬＣＤ２９が図７Ａの画面に戻るように構成されており、このようにそくうまキー５２を操作することで、炊飯器１のＩＰアドレスは「１９２．１６８．１２８．１２７」であることが分かるように構成されている。このＩＰアドレスをスマートフォンＳのブラウザＢのＵＲＬ入力欄に入力することで、ルータＲを経由して、スマートフォンＳのブラウザＢがｈｔｔｐサーバ制御部８１にアクセスする。
【００５８】
本実施形態において、図７Ａ〜図７ＤのＬＣＤ２９の画面の切り換えは、硬め調整用表示要素４８Ｄおよび柔らかめ調整用表示要素４８Ｅでもできるように構成されており、柔らかめ調整用表示要素４８Ｅをタッチ操作することで、図７Ａから図７Ｄの順でＬＣＤ２９の画面が切り替わり、その一方で、硬め調整用表示要素４８Ｄをタッチ操作することで、図７Ｄから図７Ａの順でＬＣＤ２９の画面が切り替わる。また戻る用表示要素４８Ｃをタッチ操作することにより、初期の切表示の画面に戻るように構成されている。
【００５９】
炊飯器１のＩＰアドレスをＬＣＤ２９に表示する方法は、図７Ａ〜図７Ｄの他にも、図８に示すように、ＩＰアドレス用の表示要素４８Ｇにより、ＬＣＤ２９にＩＰアドレスを全部表示するように構成してもよく、この場合、ＩＰアドレスの確認が容易で、ブラウザＢのＵＲＬ入力欄への入力間違いを抑制することができる。また図９に示すように、ＵＲＬ用の表示要素４８ＨおよびＱＲコード（登録商標）用の表示要素４８Ｉにより、ＬＣＤ２９にｈｔｔｐサーバ４４のＵＲＬおよびＱＲコードを表示するように構成してもよく、この場合、スマートフォンＳにこのＱＲコードを読み取らせることで、スマートフォンＳのブラウザＢがｈｔｔｐサーバ制御部８１にアクセスするため、ｈｔｔｐサーバ制御部８１へのアクセスがさらに容易になる。なお、図８のようにＩＰアドレス用の表示要素４８ＧをＬＣＤ２９に表示する場合や、図９のようにＵＲＬ用の表示要素４８ＨおよびＱＲコード用の表示要素４８ＩをＬＣＤ２９に表示する場合は、ＬＣＤ２９を多層表示装置で構成することにより実現できる。
【００６０】
図６に戻り、スマートフォンＳのブラウザＢがｈｔｔｐサーバ制御部８１にアクセスすると、ｈｔｔｐサーバ制御部８１は通信部７７に命令を送出し、炊飯制御部７６は、炊飯設定情報記憶部７８に記憶されている、例えば、設定１５８の「こだわり炊飯」の炊飯コースのデータをＨＴＭＬファイル形式で通信部７７に送出するように制御する。通信部７７は、このＨＴＭＬファイルをｈｔｔｐサーバ制御部８１に送出し、その後ｈｔｔｐサーバ制御部８１が、このＨＴＭＬファイルをスマートフォンＳのブラウザＢに送出する。
【００６１】
スマートフォンＳは、このＨＴＭＬファイルを受信すると、このファイルのタグの命令に沿って、ルータＲやネットワークＮを経由してネットワーク制御部ＮＣに接続して、“背景１.png”や“ボタン１.png”等の画像データＧをネットワークサーバ記憶部ＮＲから取得し、スマートフォンＳでブラウザＢを使用してＨＴＭＬファイルおよび画像データＧを組み合わせて、図１０に示すような「こだわり炊飯の設定画面」を１つのページで表示部ＳＤに表示する。
【００６２】
ここで図１０に示される設定は、炊飯器１の炊飯設定情報記憶部７８に記憶されている設定１５８の炊飯コースである「こだわり炊飯」の炊飯コースの現在の設定であり、ＳＤ４〜ＳＤ１０の各入力部をタッチ操作して選択または入力することにより、ＳＤ４〜ＳＤ１０の各入力部の設定を変更することができる。例えば、ひたし火力入力部ＳＤ４をタッチ操作すると、例えば「弱」「中」「強」の表示要素が表示され、これらの表示要素をタッチ操作することにより、ひたし火力入力部ＳＤ４の設定を変更することができる。また、ひたし時間入力部ＳＤ５をタッチ操作すると、例えば「短」「中」「長」の表示要素が表示され、これらの表示要素をタッチ操作することにより、ひたし時間入力部ＳＤ５の設定を変更することができる。各入力部ＳＤ６〜ＳＤ９も同様に、各入力部ＳＤ５〜ＳＤ９をタッチ操作すると、選択用の表示要素が表示され、これらの表示要素をタッチ操作することにより、各入力部ＳＤ６〜ＳＤ９の設定を変更することができる。また例えば、設定入力部ＳＤ１０をタッチ操作すると数字を入力する画面になり、ここで、例えば「１５７」と数字を入力すると、炊飯設定情報記憶部７８における炊飯コースの設定の記憶時に、炊飯設定情報記憶部７８におけるその数字の場所、今回の場合は「設定１５７」の場所に、表示部ＳＤに表示される各入力部ＳＤ４〜ＳＤ９の設定が記憶される。なお、上述した入力方法は一例であり、例えば各入力部ＳＤ４〜ＳＤ９の設定を、スマートフォンＳを操作して文字を入力して設定するように構成してもよい。
【００６３】
ＳＤ４〜ＳＤ１０の各入力部の設定が完了し、送信キーＳＤ１１を選択すると、スマートフォンＳはｈｔｔｐサーバ制御部８１にこの炊飯コースの設定を送出する。ｈｔｔｐサーバ制御部８１は、この炊飯コースの設定データを受信すると、このデータを通信部７７に送出し、その後、炊飯制御部７６は、このデータの設定入力部ＳＤ１０に入力されている炊飯設定情報記憶部７８の場所、図１０に示された表示部ＳＤの設定データの場合は「設定１５７」に、この炊飯コースの設定データを記憶するように構成される。
【００６４】
以上のように、本実施形態において調理器となる炊飯器１では、ｈｔｔｐサーバ４４を備えてｈｔｔｐサーバ機能を有し、外部の機器となるスマートフォンＳのブラウザＢを使用して、中継器としてのルータＲを経由した通信を行なう構成にしている。そのため、スマートフォンＳのＯＳ毎にアプリを開発する必要が無く、またＯＳのバージョンアップでアプリを更新する必要もなくなるので、開発費を抑制することができる。
【００６５】
また本実施形態では、ｈｔｔｐサーバ機能を有した炊飯器１は、親機、子機の両方のモードを備え、親機のモードでｈｔｔｐサーバ４４を動作させたとき、ルータＲの機器名、パスワード等のネットワーク情報をスマートフォンＳからｈｔｔｐサーバ４４に入力できる構成にしている。そのためルータＲのネットワーク情報を入力するために、キーボードやドットＬＣＤ等のネットワーク情報入力機能、表示機能を炊飯器１が備えていなくても、炊飯器１がルータＲにネットワーク接続できるようになっている。
【００６６】
また本実施形態の炊飯器１では、ネットワーク接続における炊飯器１のＩＰアドレスを、炊飯器１側としての炊飯器１のＬＣＤ２９に表示させる機能を有して構成される。そのため、ルータＲから動的に割り当てられる炊飯器１のＩＰアドレスを炊飯器１のユーザーが知ることができ、スマートフォンＳのブラウザＢから炊飯器１にアクセスできるようになる。
【００６７】
また本実施形態の炊飯器１では、ｈｔｔｐサーバ機能を有するｈｔｔｐサーバ制御部８１と、炊飯器１の負荷７５を制御する負荷制御部としての炊飯制御部７６と、通信部７７とをさらに備え、ｈｔｔｐサーバ制御部８１と炊飯制御部７６とは別部品で構成されており、炊飯制御部７６とｈｔｔｐサーバ制御部８１は通信部７７で命令を交換し、かつｈｔｔｐサーバ制御部８１から通信部７７への命令では、炊飯制御部７６は負荷７５のそれぞれの駆動手段に制御信号を送出せず、負荷７５の動作を直接開始できないように構成している。そのため、仮にマルウェア等の悪意のあるプログラムで外部からｈｔｔｐサーバ制御部８１を操作しても、炊飯器１の安全に影響を与えるヒータやモータ等の負荷７５は動作しないので安全が確保できる。
【００６８】
また本実施形態の調理器システムとなる炊飯器１のシステムにおいて、ＨＴＭＬの本体であるＨＴＭＬファイルを炊飯器１からスマートフォンＳに送信し、ＨＴＭＬファイルのタグに書かれ、スマートフォンＳの表示部ＳＤに表示させるデータの一部である画像データＧを外部のネットワークサーバＴＨＳから取得することにより、炊飯器１の通信負荷やデータ保存量などの負荷を減らし、炊飯器１本体を安価なシステムで構築できる。また外部のネットワークサーバＴＨＳから画像データＧを取得するので、ネットワークサーバＴＨＳの画像データＧを変更することにより、ユーザーに炊飯器１が行き渡った後でもある程度データの更新ができる。
【００６９】
なお、本発明は上記実施形態に限定されるものではなく、本発明の趣旨を逸脱しない範囲で種々の変更可能である。本実施形態では炊飯器を例に挙げて説明したが、本願発明はこれに限定されず、例えばＩＨ（誘導加熱）調理器、オーブンレンジなど、様々な調理器に適用できる。したがって、明細書中の「炊飯」や「保温」という文言は、何れも「調理」と置き換えることができ、また「負荷」も各種「ヒータ」や「モータ」、「駆動手段」とすることができる。また操作部４３として、静電容量式以外の各種方式によるタッチセンサ４９を適用しても構わない。
【符号の説明】
【００７０】
１  炊飯器（調理器）
２９  ＬＣＤ（表示させる機能）
４４  ｈｔｔｐサーバ（ｈｔｔｐサーバ機能）
７５  負荷
７６  炊飯制御部（負荷制御部）
７７  通信部
８１  ｈｔｔｐサーバ制御部
Ｒ  ルータ（中継器）
Ｓ  スマートフォン（外部の機器）
Ｂ  ブラウザ
ＳＤ  表示部
Ｇ  画像データ（データの一部）
ＴＨＳ  ネットワークサーバ
【図１】
2019101882.tif 000003
【図２】
2019101882.tif 000004
【図３】
2019101882.tif 000005
【図４】
2019101882.tif 000006
【図５】
2019101882.tif 000007
【図６】
2019101882.tif 000008
【図７Ａ】
2019101882.tif 000009
【図７Ｂ】
2019101882.tif 000010
【図７Ｃ】
2019101882.tif 000011
【図７Ｄ】
2019101882.tif 000012
【図８】
2019101882.tif 000013
【図９】
2019101882.tif 000014
【図１０】
2019101882.tif 000015